(57)【要約】      （修正有）【課題】防蚊及び浄化を一体にする窓を提供する。【解決手段】壁に嵌め込められている取付溝台及び側板２を備え、上下二つの取付溝台の中部にいずれも左右方向を向く取付仕切り板５が二枚取り付けられ、二枚の取付仕切り板の間に浄化板が取り付けられ、取付仕切り板と取付溝台の溝壁との間にガラス板運動装置が取り付けられ、上下のガラス板運動装置の間にガラス板３が取り付けられ、浄化板は二枚の取付仕切り板に取り付けられている浄化取付枠６を備え、浄化取付枠にフルカーボンエアロゲル板４が取り付けられ、フルカーボンエアロゲル板の前後の幅が二枚の取付仕切り板の外側の間隔より大きく、側板に浄化取付枠と連係する取付枠連係側溝が開けられる。【選択図】図２
2019214925.tif 000002
【特許請求の範囲】
【請求項１】
壁に嵌め込められている取付溝台（1）及び側板（2）を備え、上下二つの取付溝台（1）の中部にいずれも左右方向を向く二枚の取付仕切り板（5）が取り付けられ、二枚の取付仕切り板（5）の間に浄化板が取り付けられ、取付仕切り板（5）と取付溝台（1）の溝壁との間にガラス板運動装置が取り付けられ、上下のガラス板運動装置の間にガラス板（3）が取り付けられ、前記浄化板は二枚の取付仕切り板（5）に取り付けられている浄化取付枠（6）を備え、前記浄化取付枠（6）にフルカーボンエアロゲル板（4）が取り付けられ、前記フルカーボンエアロゲル板（4）の前後の幅が二枚の取付仕切り板の外側の間隔より大きく、前記側板（2）に浄化取付枠（6）と連係する取付枠連係側溝（7）が開けられることを特徴とする防蚊及び浄化を一体にする窓。
【請求項２】
下部の取付溝台（1）に水平している底部網板（8）が設置され、浄化取付枠（6）と下部のガラス板運動装置が底部網板（8）に取り付けられ、下部の取付溝台（1）の後溝板の下側に液体排出口（14）が開けられることを特徴とする請求項１に記載の防蚊及び浄化を一体にする窓。
【請求項３】
前記ガラス板運動装置は、ガラス板（3）に接続されて且つ取付溝台（1）の溝壁をオーバーしているガラス板回転取付台（12）を備え、前記ガラス板回転取付台（12）の下側にガラス板回転モータ（11）が設置され、前記ガラス板回転モータ（11）の下部と側部に回転ボール（10）が取り付けられることを特徴とする請求項１に記載の防蚊及び浄化を一体にする窓。
【請求項４】
前記取付溝台（1）の溝壁にガラス板回転取付台（12）と連係するガラス板取付台のシールソフトブロック（13）が設置されることを特徴とする請求項３に記載の防蚊及び浄化を一体にする窓。
【請求項５】
前記ガラス板の側端が外に開いた斜面となっており、斜面の最外端がフルカーボンエアロゲル（4）の外側と一致しており、且つその斜面が垂直方向との夾角が5〜20度であることを特徴とする請求項４に記載の防蚊及び浄化を一体にする窓。
【請求項６】
前記ガラス板回転モータ（11）の右側と左側が回転モータの支持ロッド（15）を介して回転モータの可動支持ブロック（16）に接続され、前記回転モータの可動支持ブロック（16）の下部及び側部に回転ボール（10）が設置され、前記回転モータの可動支持ブロック（16）の上部がガラス板回転取付台（12）と接触するが、接続及び連係せず、且つ回転モータの可動支持ブロック（16）の上部が滑らかなパネルであることを特徴とする請求項３に記載の防蚊及び浄化を一体にする窓。
【請求項７】
前記浄化取付枠（6）の上部と下部に取付枠の可動ブロック（9）が取り付けられ、前記取付枠の可動ブロック（9）の下部及び側部に回転ボール（10）が設置されることを特徴とする請求項１に記載の防蚊及び浄化を一体にする窓。
【発明の詳細な説明】
【技術分野】
【０００１】
本発明は窓の仕組み分野に関し、特に防蚊及び浄化を一体にする窓に関する。
【背景技術】
【０００２】
窓というものは建築分野において不可欠な仕組みであり、通常は部屋に窓があり、従来の窓は大体開き窓と引き窓に分けられている。蚊と虫を予防するために、通常引き窓に網戸が設置されている。
【０００３】
空気品質がますます悪くなっているに従って、室内空気品質を向上させるために、空気浄化装置を取り付ける場合が多い。しかし、空気浄化装置が網戸の仕組みとかち合うことになり、二つの機能を結びつけることができず、自然の風を楽しむ時に、防蚊と空気品質の確保は同時に達成することができない。
【発明の概要】
【発明が解決しようとする課題】
【０００４】
本発明は防蚊及び浄化を一体にする窓を提供することを目的とし、従来網戸の仕組みを浄化取付枠及びフルカーボンエアロゲル板からなる浄化板に取り換えて、フルカーボンエアロゲル板の強力な吸着力及び強力な復元力により、ガラス板の押し出しと合わせて、空気の浄化を持続的に繰り返すことができると同時に、網戸の防蚊効果も達成できる。それに、視野が更に広くなる。
【課題を解決するための手段】
【０００５】
上記の目的を実現するために、本発明の使用する技術的な解決手段は以下のとおりである。防蚊及び浄化を一体にする窓であって、それは壁に嵌め込められている取付溝台及び側板を備え、上下二つの取付溝台の中部にいずれも左右方向を向く二枚の取付仕切り板が取り付けられ、二枚の取付仕切り板の間に浄化板が取り付けられ、取付仕切り板と取付溝台の溝壁との間にガラス板運動装置が取り付けられ、上下のガラス板運動装置の間にガラス板が取り付けられ、前記浄化板は二枚の取付仕切り板に取り付けられている浄化取付枠を備え、前記浄化取付枠にフルカーボンエアロゲル板が取り付けられ、前記フルカーボンエアロゲル板の前後の幅が二枚の取付仕切り板の外側の間隔より大きく、前記側板に浄化取付枠と連係する取付枠連係側溝が開けられる。
【０００６】
さらに、下部の取付溝台に水平している底部網板が設置され、浄化取付枠及び下部のガラス板運動装置が底部網板に取り付けられ、下部の取付溝台の後溝板の下側に液体排出口が開けられる。
【０００７】
さらに、前記ガラス板運動装置はガラス板に接続されて且つ取付溝台の溝壁をオーバーしているガラス板回転取付台を備え、前記ガラス板回転取付台の下側にガラス板回転モータが設置され、前記ガラス板回転モータの下部及び側部に回転ボールが取り付けられる。
【０００８】
さらに、前記取付溝台の溝壁にガラス板回転取付台と連係するガラス板取付台のシールソフトブロックが設置される。
【０００９】
さらに、前記ガラス板の側端が外へ開いている斜面であり、斜面の最外端がフルカーボンエアロゲルの外側と一致しており、且つその斜面が垂直方向との夾角が5〜20度である。
【００１０】
さらに、前記ガラス板回転モータの右側と左側が回転モータの支持ロッドを介して回転モータの可動支持ブロックに接続され、前記回転モータの可動支持ブロックの下部及び側部に回転ボールが設置され、前記回転モータの可動支持ブロックの上部がガラス板回転取付台と接触するが接続及び連係せず、且つ回転モータの可動支持ブロックの上部が滑らかなパネルである。
【００１１】
さらに、前記浄化取付枠の上部と下部に取付枠の可動ブロックが取り付けられ、前記取付枠の可動ブロックの下部及び側部に回転ボールが設置される。
【発明の効果】
【００１２】
本発明の有益な効果は以下のとおりである。
【００１３】
1、従来の網戸の仕組みを浄化取付枠及びフルカーボンエアロゲル板からなる浄化板に取り換えて、フルカーボンエアロゲル板の強力な吸着力及び強力な復元力により、ガラス板の押し出しと合わせて、空気の浄化を持続的に繰り返すことができると同時に、網戸の防蚊効果も達成できる。それに、視野が更に広くなる。
【００１４】
2、底部網板と液体排出口の設計により、フルカーボンエアロゲル板に吸着された水蒸気及び汚染物を押し出した後すぐに排出されるため、ガラス板運動装置に残って腐食を発生することを回避する。
【００１５】
3、ガラス板運動装置は構造がシンプルであり、操作がしやすく、ガラス板を押すと同時にガラス板を一定の角度で回転させることもでき、さらにフルカーボンエアロゲルの押し出し幅を調整することができる。
【００１６】
4、ガラス板取付台のシールソフトブロックの設計により、ガラス板が小幅な回転に影響しないと同時に、ガラス板の回転取付台の全行程における密封状態を確保することができる。
【００１７】
5、ガラス板側端斜面の設計により、ガラス板がフルカーボンエアロゲル板と接触開始した時にガイドを行い、同時に斜面の斜度によりガラス板の回転と合わせて、押し出し幅を加える時にも平面がフルカーボンエアロゲル板との押し出しを維持することができ、フルカーボンエアロゲル板を傷つける状況を避けられる。
【００１８】
6、回転モータの支持ロッド及び回転モータの支持ブロックの設計により、ガラス板が回転及び移動する時に穏やかに行うことを確保し、発生する可能性がある震動を解消する。
【００１９】
7、浄化取付枠の可動ブロックの設計により、回転ボールと合わせて、移動しやすく、同時に前後の位置に対して制限を行うことができ、フルカーボンエアロゲル板が穏やかに移動することを確保する。
【図面の簡単な説明】
【００２０】
【図１】防蚊及び浄化を一体とする窓の正面図である。
【図２】図1におけるA-Aの断面図である。
【図３】図2におけるBの部分拡大図である。
【図４】図2におけるC-Cの断面図である。
【図５】図4におけるDの部分拡大図である。
【図６】図5におけるE-Eの断面図である。
【発明を実施するための形態】
【００２１】
当業者が本発明の技術的な解決手段をより良く理解するため、次に、図面と併せて本発明を詳しく説明する。この部分の説明は、実証性と解釈性のみであり、本発明の保護範囲は何ら限定されない。
【００２２】
図1-図6に示すように、本発明の具体的な構造は以下の通りである。防蚊及び浄化を一体にする窓であって、それは壁に嵌め込められている取付溝台1及び側板2を備え、上下二つの取付溝台1の中部にいずれも左右方向を向く二枚の取付仕切り板5が取り付けられ、二枚の取付仕切り板5の間に浄化板が取り付けられ、取付仕切り板5と取付溝台1の溝壁との間にガラス板運動装置が取り付けられ、上下のガラス板運動装置の間にガラス板3が取り付けられ、前記浄化板は二枚の取付仕切り板5に取り付けられている浄化取付枠6を備え、前記浄化取付枠6にフルカーボンエアロゲル板4が取り付けられ、前記フルカーボンエアロゲル板4の前後の幅が二枚の取付仕切り板の外側の間隔より大きく、前記側板2に浄化取付枠6と連係する取付枠連係側溝7が開けられる。
【００２３】
好ましくは、下部の取付溝台1に水平している底部網板8が設置され、浄化取付枠6と下部のガラス板運動装置が底部網板8に取り付けられ、下部の取付溝台1の後溝板の下側に液体排出口14が開けられる。
【００２４】
好ましくは、前記ガラス板運動装置はガラス板3に接続されて且つ取付溝台1の溝壁をオーバーしているガラス板回転取付台12を備え、前記ガラス板回転取付台12の下側にガラス板回転モータ11が設置され、前記ガラス板回転モータ11の下部及び側部に回転ボール10が取り付けられる。
【００２５】
好ましくは、前記取付溝台1の溝壁にガラス板回転取付台12と連係するガラス板取付台のシールソフトブロック13が設置される。
【００２６】
好ましくは、前記ガラス板の側端が外へ開いている斜面であり、斜面の最外端がフルカーボンエアロゲル板4の外側と一致しており、且つその斜面が垂直方向との夾角が5〜20度である。
【００２７】
好ましくは、前記ガラス板回転モータ11の右側と左側が回転モータの支持ロッド15を介して回転モータの可動支持ブロック16に接続され、前記回転モータの可動支持ブロック16の下部及び側部に回転ボール10が設置され、前記回転モータの可動支持ブロック16の上部がガラス板回転取付台12と接触するが接続及び連係せず、且つ回転モータの可動支持ブロック16の上部が滑らかなパネルである。
【００２８】
さらに、前記浄化取付枠6の上部と下部に取付枠の可動ブロック9が取り付けられ、前記取付枠の可動ブロック9の下部と側部に回転ボール10が設置される。
【実施例】
【００２９】
具体的に使用する時、まず窓を取り付けて、窓が閉まった時、後側のガラス板3がフルカーボンエアロゲル板4に押し出す場所に位置し、前側のガラス板がフルカーボンエアロゲル板4と位置ずれた状態にあり、閉まった状態では、フルカーボンエアロゲル板がその強力な吸着力により室内空気に対して浄化を行い、内装したばかりの部屋に対する効果が特に明らかである。窓を開ける時、まずフルカーボンエアロゲル板4を相対する側へ押して、さらに前側のガラス板3によりフルカーボンエアロゲル板4を押し出し、続いて前側のガラス板3を相対する側へ押して、二枚ガラス板3を同じ側に位置させ、窓を開ける操作が完了する。窓を開けた後、フルカーボンエアロゲル板4が室内に入った空気に対して水蒸気及び汚染気体を吸着し、室内に入った空気の品質を確保する。一定時間を吸着した後、ガラス板回転モータ11によりガラス3を一定角度に回転させ、続いて、まず前側のガラス板3を押してそれによりフルカーボンエアロゲル板4の前側に押し出し、一部の汚染物を押し出してから、フルカーボンエアロゲル板を相対する側へ押し、後側のガラス板3によりフルカーボンエアロゲル板4の後側に押し出し、押し出された水液は、汚染ガスや、ほこりなど小粒の汚染物を持ち込んで底部網板8に落ち、続いて網穴から下部取付溝1の底部に入り、続いて液体排出口14から前部排出され、一回の空気浄化及びフルカーボンエアロゲルの押し出し・排出過程を完了する。
【００３０】
説明すべきなのは、本明細書において、専門用語の“含む”、“含有”またはそのいかなる他の変化は、非排他的な含有を網羅することを意味する。従って、一連の要素を含む過程、方法、物品または装置がそれらの要素を含むだけではなく、かつ明確に列挙されていないその他の要素をさらに備え、またはこの種類の過程、方法、物品または装置の固有の要素をさらに含んでいる。
【００３１】
本明細書に具体的な個別事例を応用して本発明の原理及び実施方式を説明したが、上記の実例の説明は本発明の方法及びその基本理念に対する理解を手伝うだけに用いられる。上記は本発明の好ましい実施方式のみであり、注意すべきなのは、文字表現の制限性のため、客観的に無限の具体的な仕組みが存在し、本技術分野の当業者にとって、本発明の原理から逸脱しない前提において、さらにいくつかの改善、修正または変化を実施でき、さらに上記の技術的特徴を適切な方式で組み合わせることができる。これらの改善と修正、変化または組み合わせ、または改善せずに発明の構想と技術的解決手段をその他の場合に直接応用するものは、いずれも本発明の保護範囲とみなすべきである。
【符号の説明】
【００３２】
1  取付溝台
2  側板
3  ガラス板
4  フルカーボンエアロゲル板
5  取付仕切り板
6  浄化取付枠
7  取付枠連係側溝
8  底部網板
9  取付枠の可動ブロック
10  回転ボール
11  ガラス板回転モータ
12  ガラス板回転取付台
13  ガラス板取付台のシールソフトブロック
14  液体排出口
15  回転モータの支持ロッド
16  回転モータ可動の支持ブロック
【図１】
2019214925.tif 000003
【図２】
2019214925.tif 000004
【図３】
2019214925.tif 000005
【図４】
2019214925.tif 000006
【図５】
2019214925.tif 000007
【図６】
2019214925.tif 000008